(57)【要約】【課題】流体バッグや吸引具に対する接続操作および接続解除操作を正確に行うことができるコネクタおよび流体バッグ組立体を提供すること。【解決手段】コネクタ１は、流体バッグ２０の口部８１に螺合によって接続される第１接続部２と、吸引具としてのシリンジ３０の口部９１に螺合によって接続される第２接続部３とを備える。第１接続部２は、筒状をなし、その周方向に形成された第１ねじ山２２１が１周以上である第１螺合部２２を有する。また、第２接続部３は、筒状をなし、その周方向に形成された第２ねじ山３２１が１周以上である第２螺合部３２を有する。また、コネクタ１は、第１接続部２と第２接続部３とを相対的に回転可能に連結する回転連結部４をさらに備える。【選択図】図１
2020039801.tif 000002
【特許請求の範囲】
【請求項１】
流体を収納するバッグ本体と、前記流体が排出される第１口部とを有する流体バッグの前記第１口部に螺合によって接続される第１接続部と、
第２口部を有する吸引具の前記第２口部に螺合によって接続される第２接続部とを備えるコネクタであって、
前記第１接続部は、筒状をなし、その周方向に形成されたねじ山が１周以上である第１螺合部を有し、
前記第２接続部は、筒状をなし、その周方向に形成されたねじ山が１周以上である第２螺合部を有しており、
前記第１接続部と前記第２接続部とを相対的に回転可能に連結する回転連結部を備えることを特徴とするコネクタ。
【請求項２】
前記回転連結部は、前記第１接続部から前記第２接続部側に向かって管状に突出形成された管状部と、前記第２接続部の内周部に突出形成され、前記管状部の外周部に係合しつつ、前記管状部の周方向に沿って摺動可能な係合部とを有する請求項１に記載のコネクタ。
【請求項３】
前記管状部の外周部は、その周方向に沿って形成され、前記係合部が係合する少なくとも１つの突出部を有する請求項２に記載のコネクタ。
【請求項４】
前記突出部は、前記管状部の周方向に沿って間隔を置いて複数形成されており、
前記複数の突出部は、前記管状部の周方向に沿った長さが互いに異なる請求項３に記載のコネクタ。
【請求項５】
前記係合部は、前記間隔の形成数の分だけ、形成されている請求項４に記載のコネクタ。
【請求項６】
前記間隔は、前記第１接続部側に向かって漸減している請求項４または５に記載のコネクタ。
【請求項７】
前記吸引具は、前記第２口部として、管状に突出形成された口部を有するシリンジであり、
前記管状部は、前記第２接続部と前記第２口部とが接続された状態で、前記口部の内側に嵌合し、該口部と連通する請求項２ないし６のいずれか１項に記載のコネクタ。
【請求項８】
前記第２接続部の中心軸方向に沿った長さは、前記第１接続部の中心軸方向に沿った長さよりも長い請求項１ないし７のいずれか１項に記載のコネクタ。
【請求項９】
前記第１接続部は、該第１接続部が回転操作される際に指が掛けられる第１指掛け部を有し、
前記第２接続部は、該第２接続部が回転操作される際に指が掛けられる第２指掛け部を有する請求項１ないし８のいずれか１項に記載のコネクタ。
【請求項１０】
請求項１ないし９のいずれか１項に記載のコネクタと、
前記流体バッグとを備えることを特徴とする流体バッグ組立体。
【発明の詳細な説明】
【技術分野】
【０００１】
本発明は、コネクタおよび流体バッグ組立体に関する。
【背景技術】
【０００２】
患者や高齢者には、チューブを消化管等に挿入し、このチューブを介して栄養剤を体内に注入する経腸投与や経管投与が行われる場合がある。この場合、カテーテルチップ付きシリンジのカテーテルチップを栄養剤が入った容器に嵌合し、そのシリンジ内に栄養剤を充填し、次に、そのカテーテルチップをチューブの接続部等に嵌合して、栄養剤の投与を行うことを繰り返すシリンジ法が行われることがある（特許文献１参照）。カテーテルチップは、ほぼ円筒状の部材で構成されており、栄養剤が入った容器の排出口やチューブの接続部に押し込んで嵌合させることにより接続される。そのため、カテーテルチップは、接続時には回転操作がされることはなかった。
【０００３】
しかし、近年、誤接続防止の観点から栄養剤関連においては、ＩＳＯ８０３６９−３（以下、「ＩＳＯ規格」と称す。）が制定され、シリンジの口部を特定形状の雄ネジ構造とし、栄養剤が入った容器の排出口やチューブの接続部をそれに対応した雌ネジ構造にする必要がある。この場合、これまでの嵌合操作ではなく、螺合操作、すなわち、回転操作を行う必要がある。
【０００４】
ところが、栄養剤が入った容器の排出口やチューブの接続部には既存のものを使用した方が良い場合もある。この場合、一端がＩＳＯ規格の雌ネジ構造を有し、他端が容器の排出口やチューブのコネクタに螺合により接続するコネクタを用いることが考えられる。しかしながら、シリンジをコネクタに接続する回転方向と、コネクタを容器の排出口やチューブのコネクタ接続部に接続する回転方向とが同じ方向であると、シリンジを容器の排出口やチューブの接続部に接続されたコネクタから外そうとする場合、シリンジが接続されたコネクタが、容器の排出口やチューブの接続部から外れてしまうことが考えられる。
【先行技術文献】
【特許文献】
【０００５】
【特許文献１】特開２００２−１７８７０号公報
【発明の概要】
【発明が解決しようとする課題】
【０００６】
本発明の目的は、流体バッグや吸引具に対する接続操作および接続解除操作を正確に行うことができるコネクタおよび流体バッグ組立体を提供することにある。
【課題を解決するための手段】
【０００７】
このような目的は、下記（１）〜（１０）の本発明により達成される。
（１）  流体を収納するバッグ本体と、前記流体が排出される第１口部とを有する流体バッグの前記第１口部に螺合によって接続される第１接続部と、
第２口部を有する吸引具の前記第２口部に螺合によって接続される第２接続部とを備えるコネクタであって、
前記第１接続部は、筒状をなし、その周方向に形成されたねじ山が１周以上である第１螺合部を有し、
前記第２接続部は、筒状をなし、その周方向に形成されたねじ山が１周以上である第２螺合部を有しており、
前記第１接続部と前記第２接続部とを相対的に回転可能に連結する回転連結部を備えることを特徴とするコネクタ。
【０００８】
（２）  前記回転連結部は、前記第１接続部から前記第２接続部側に向かって管状に突出形成された管状部と、前記第２接続部の内周部に突出形成され、前記管状部の外周部に係合しつつ、前記管状部の周方向に沿って摺動可能な係合部とを有する上記（１）に記載のコネクタ。
【０００９】
（３）  前記管状部の外周部は、その周方向に沿って形成され、前記係合部が係合する少なくとも１つの突出部を有する上記（２）に記載のコネクタ。
【００１０】
（４）  前記突出部は、前記管状部の周方向に沿って間隔を置いて複数形成されており、
前記複数の突出部は、前記管状部の周方向に沿った長さが互いに異なる上記（３）に記載のコネクタ。
【００１１】
（５）  前記係合部は、前記間隔の形成数の分だけ、形成されている上記（４）に記載のコネクタ。
【００１２】
（６）  前記間隔は、前記第１接続部側に向かって漸減している上記（４）または（５）に記載のコネクタ。
【００１３】
（７）  前記吸引具は、前記第２口部として、管状に突出形成された口部を有するシリンジであり、
前記管状部は、前記第２接続部と前記第２口部とが接続された状態で、前記口部の内側に嵌合し、該口部と連通する上記（２）ないし（６）のいずれかに記載のコネクタ。
【００１４】
（８）  前記第２接続部の中心軸方向に沿った長さは、前記第１接続部の中心軸方向に沿った長さよりも長い上記（１）ないし（７）のいずれかに記載のコネクタ。
【００１５】
（９）  前記第１接続部は、該第１接続部が回転操作される際に指が掛けられる第１指掛け部を有し、
前記第２接続部は、該第２接続部が回転操作される際に指が掛けられる第２指掛け部を有する上記（１）ないし（８）のいずれかに記載のコネクタ。
【００１６】
（１０）  上記（１）ないし（９）のいずれかに記載のコネクタと、
前記流体バッグとを備えることを特徴とする流体バッグ組立体。
【発明の効果】
【００１７】
本発明によれば、流体バッグとシリンジとの接続にコネクタを用いることにより、第１接続部および第２接続部の２つの接続部のうち、接続操作または接続解除操作をしたい方だけの接続部を回転させることができる。これにより、流体バッグや吸引具に対する接続操作および接続解除操作を正確に行うことができる。
【図面の簡単な説明】
【００１８】
【図１】図１は、本発明の流体バッグ組立体の第１実施形態を示す側面図である。
【図２】図２は、図１中の一点鎖線で囲まれた領域［Ａ］の概略縦断面図である。
【図３】図３は、図１に示す流体バッグ組立体が備えるコネクタの分解斜視図である。
【図４】図４は、図３に示すコネクタの部分縦断面側面図である。
【図５】図５は、図３に示すコネクタが備える回転連結部の部分縦断面側面図である。
【図６】図６は、図３中の矢印Ｂ方向から見た第２接続部の図である。
【図７】図７は、図３に示すコネクタに対する回転操作状態を示す部分横断面図である。
【図８】図８は、図３に示すコネクタに対する回転操作状態を示す部分横断面図である。
【図９】図９は、図３に示すコネクタに対する回転操作状態を示す部分横断面図である。
【図１０】図１０は、図３に示すコネクタに対する回転操作状態を示す部分横断面図である。
【図１１】図１１は、図３に示すコネクタに対する回転操作状態を示す部分横断面図である。
【図１２】図１２は、図１に示す流体バッグ組立体が備える流体バッグの口部形成部材の斜視図である。
【図１３】図１３は、図１２に示す口部形成部材に対する第１接続部の螺合完了時における、第１接続部のねじ山と口部形成部材の突出部との位置関係を示す図である。
【図１４】図１４は、図１に示す流体バッグ組立体の使用過程を順に示す概略側面図である。
【図１５】図１５は、図１に示す流体バッグ組立体の使用過程を順に示す概略側面図である。
【図１６】図１６は、図１に示す流体バッグ組立体の使用過程を順に示す概略側面図である。
【図１７】図１７は、図１に示す流体バッグ組立体の使用過程を順に示す概略側面図である。
【図１８】図１８は、本発明の流体バッグ組立体の第２実施形態を示す斜視図である。
【発明を実施するための形態】
【００１９】
以下、本発明のコネクタおよび流体バッグ組立体を添付図面に示す好適な実施形態に基づいて詳細に説明する。
【００２０】
＜第１実施形態＞
図１は、本発明の流体バッグ組立体の第１実施形態を示す側面図である。図２は、図１中の一点鎖線で囲まれた領域［Ａ］の概略縦断面図である。図３は、図１に示す流体バッグ組立体が備えるコネクタの分解斜視図である。図４は、図３に示すコネクタの部分縦断面側面図である。図５は、図３に示すコネクタが備える回転連結部の部分縦断面側面図である。図６は、図３中の矢印Ｂ方向から見た第２接続部の図である。図７〜図１１は、それぞれ、図３に示すコネクタに対する回転操作状態を示す部分横断面図である。図１２は、図１に示す流体バッグ組立体が備える流体バッグの口部形成部材の斜視図である。図１３は、図１２に示す口部形成部材に対する第１接続部の螺合完了時における、第１接続部のねじ山と口部形成部材の突出部との位置関係を示す図である。図１４〜図１７は、それぞれ、図１に示す流体バッグ組立体の使用過程を順に示す概略側面図である。なお、以下では、説明の都合上、図１〜図５、図１２〜図１７中（図１８についても同様）の上側を「上」または「上方」、下側を「下」または「下方」と言う。
【００２１】
図１に示すように、流体バッグ組立体１０は、流体バッグ２０と、吸引具としてのシリンジ３０と、流体バッグ２０とシリンジ３０とを接続するコネクタ１とを備え、これらを組み立てて用いられる。本実施形態では、流体バッグ組立体１０、特に、コネクタ１は、ＩＳＯ規格に準拠した構成となっており、経腸栄養に用いることができる。
【００２２】
流体バッグ２０は、流体状の栄養剤Ｑを収納するバッグ本体２０１と、栄養剤Ｑが排出される口部（第１口部）８１が形成された口部形成部材８とを備える栄養剤バッグである。
【００２３】
バッグ本体２０１は、可撓性を有するシート材で構成された袋体となっている。このバッグ本体２０１には、栄養剤Ｑが収納されている。栄養剤Ｑとしては、特に限定されず、例えば、半消化態栄養剤、消化態栄養剤、成分栄養剤（ＥＤ）、流動食、ミキサー食等が挙げられる。
【００２４】
バッグ本体２０１の上部には、口部形成部材８が配置されている。図１２に示すように、口部形成部材８は、バッグ本体２０１に固定される固定部８２と、固定部８２から上方に向かって突出形成された口部８１とを有している。
【００２５】
固定部８２は、天板８２１と、天板８２１の下方に向かって突出した一対の側板８２２とを有している。天板８２１は、ほぼ菱形をなす。また、各側板８２２は、菱形をなす天板８２１の輪郭形状に沿って形成され、互いに離間している。これにより、側板８２２同士の間には、中空部８２３が形成されている。この中空部８２３は、口部８１と連通している。
【００２６】
天板８２１には、管状をなす口部８１が上方に向かって一体的に突出形成されている。この口部８１は、固定部８２の中空部８２３を介して、バッグ本体２０１と連通している。これにより、バッグ本体２０１内に収納されている栄養剤Ｑは、中空部８２３、口部８１を順に通過することができる。
【００２７】
口部８１は、その外周部の周方向に沿ってねじ山８３が形成されており、雄ねじとなっている。ねじ山８３の形成数や形成長さについては、特に限定されない。例えば、図１２に示すように、本実施形態では、ねじ山８３の形成数は、２つとなっている。また、各ねじ山８３の形成長さは、１／６周以上５周以下であるのが好ましく、ＩＳＯ規格に準拠していることがより好ましい。このような形成条件下では、各ねじ山８３は、互いに反対側に配置されているのが好ましい。
【００２８】
また、口部８１の外周部には、各ねじ山８３よりも下方に、突出部８４が突出形成されている。突出部８４は、口部８１の外周部の周方向と平行に形成されている。このように形成された突出部８４は、コネクタ１の第１接続部２が口部８１に螺合した際、その螺合限界を規制するストッパとしての機能を有している。なお、本実施形態では、突出部８４は、一対形成され、各突出部８４は、互いに反対側に配置されている。
【００２９】
シリンジ３０は、コネクタ１を介して流体バッグ２０に接続された状態で、流体バッグ２０内の栄養剤Ｑを吸引する吸引具である。そして、このシリンジ３０に吸引された栄養剤Ｑは、例えば患者に投与される。
【００３０】
図１に示すように、シリンジ３０は、シリンジ外筒９を備えている。シリンジ外筒９は、有底筒状の部材で構成されており、その底部に管状に突出形成された口部（第２口部）９１を有している。図２に示すように、口部９１は、その外周部の周方向に沿ってねじ山９２が形成されており、雄ねじとなっている。
【００３１】
また、シリンジ３０は、シリンジ外筒９の他に、図示は省略するが、シリンジ外筒９内で液密に摺動し得るガスケットと、ガスケットに連結され、ガスケットをシリンジ外筒９内で移動操作するプランジャとを備えている。そして、プランジャを引張ることにより、ガスケットが移動して、シリンジ外筒９とガスケットとで囲まれた空間の容積が増大する。これにより、この空間内に栄養剤Ｑを吸引することができる。
【００３２】
図１に示すように、コネクタ１は、流体バッグ２０の口部８１に螺合によって接続される第１接続部２と、シリンジ３０の口部９１に螺合によって接続される第２接続部３と、第１接続部２と第２接続部３とを相対的に回転可能に連結する回転連結部４とを備えている。以下、各部の構成について説明する。
【００３３】
図２、図３に示すように、第１接続部２は、円筒状をなす第１本体部２１と、第１本体部２１の内周部に形成された第１螺合部２２と、第１本体部２１の外周部に形成された第１指掛け部２３とを有している。
【００３４】
第１本体部２１は、上端を閉塞する上端壁部２１１と、下端が開放した下端開放部２１２とを有する円筒状をなす部分である。なお、第１本体部２１の外径は、特に限定されず、例えば、１０ｍｍ以上２０ｍｍ以下であるのが好ましく、１２ｍｍ以上１８ｍｍ以下であるのがより好ましく、ＩＳＯ規格に準拠していることがさらに好ましい。また、第１本体部２１の内径は、流体バッグ２０の口部８１の太さに応じた大きさとなっている。
【００３５】
第１本体部２１の内周部には、第１螺合部２２が形成されている。この第１螺合部２２は、第１本体部２１の内周部の周方向に形成された第１ねじ山２２１で構成されている。これにより、第１接続部２は、雌ねじとなり、第１ねじ山２２１が流体バッグ２０の口部８１のねじ山８３と螺合することができる。この螺合により、第１接続部２と口部８１とが接続された接続状態となる。
【００３６】
なお、第１ねじ山２２１の形成長さは、第１本体部２１の内周部の１周分以上であり、２周以上であることが好ましく、上端壁部２１１まで形成されていることがより好ましい。これにより、第１接続部２と流体バッグ２０の口部８１との接続状態が、ＩＳＯ規格に準拠して、十分に維持される。また、誤接続も防止することができる。
【００３７】
また、第１ねじ山２２１の形状は、例えば、三角ねじであってもよいし、台形ねじであってもよいし、のこ歯ねじであってもよい。
【００３８】
図２に示すように、第１本体部２１の外周部には、第１指掛け部２３が外方に向かって突出形成されている。第１指掛け部２３は、第１本体部２１（第１接続部２）の中心軸Ｏ２方向に沿って突片状に形成されている。この第１指掛け部２３には、指を掛けることができる。これにより、第１接続部２を流体バッグ２０の口部８１に接続する際、指を掛け、そのまま第１接続部２を中心軸Ｏ２回りに容易に回転操作することができる。この回転操作により、第１接続部２と口部８１とが前記のように螺合して、第１接続部２と口部８１との接続状態が得られる。
【００３９】
なお、第１指掛け部２３の形成数は、本実施形態では２つであるが、これに限定されず、例えば、１つまたは３つ以上であってもよい。第１指掛け部２３の形成数が複数の場合、各第１指掛け部２３は、第１本体部２１の外周部の周方向に沿って等間隔に配置されているのが好ましい。
【００４０】
図２〜図４に示すように、第２接続部３は、円筒状をなす第２本体部３１と、第２本体部３１の内周部に形成された第２螺合部３２と、第２本体部３１の外周部に形成された第２指掛け部３３とを有している。
【００４１】
第２本体部３１は、上端が開放した上端開放部３１１と、下端が開放した下端開放部３１２とを有する円筒状をなす部分である。なお、第２本体部３１の外径は、本実施形態では第１本体部２１の外径と同じであるが、これに限定されず、異なっていてもよい。また、第２本体部３１の内径は、シリンジ３０の口部９１の太さに応じた大きさとなっている。
【００４２】
第２本体部３１の内周部には、第２螺合部３２が形成されている。この第２螺合部３２は、第２本体部３１の内周部の周方向に形成された第２ねじ山３２１で構成されている。これにより、第２接続部３は、雌ねじとなり、第２ねじ山３２１がシリンジ３０の口部９１のねじ山９２と螺合することができる。この螺合により、第２接続部３と口部９１とが接続された接続状態となる。
【００４３】
なお、第２ねじ山３２１の形成長さは、第２本体部３１の内周部の１周分以上であり、２周以上であることが好ましく、係合部４５まで形成されていることがより好ましい。これにより、第２接続部３とシリンジ３０の口部９１との接続状態が、ＩＳＯ規格に準拠して、十分に維持される。また、誤接続も防止することができる。
【００４４】
また、第２ねじ山３２１の形状は、第１ねじ山２２１の形状と同様に、例えば、三角ねじであってもよいし、台形ねじであってもよいし、のこ歯ねじであってもよい。この場合、第２ねじ山３２１の形状は、第１ねじ山２２１の形状と同じであってもよいし、異なっていてもよい。
【００４５】
図２に示すように、第２本体部３１の外周部には、第２指掛け部３３が外方に向かって突出形成されている。第２指掛け部３３は、第２本体部３１（第２接続部３）の中心軸Ｏ３方向に沿って突片状に形成されている。この第２指掛け部３３には、指を掛けることができる。これにより、第２接続部３をシリンジ３０の口部９１に接続する際、指を掛け、そのまま第２接続部３を中心軸Ｏ３回りに容易に回転操作することができる。この回転操作により、第２接続部３と口部９１とが前記のように螺合して、第２接続部３と口部９１との接続状態が得られる。
【００４６】
なお、第２指掛け部３３の形成数は、本実施形態では第１指掛け部２３と同様に２つであるが、これに限定されず、例えば、１つまたは３つ以上であってもよい。第２指掛け部３３の形成数が複数の場合、各第２指掛け部３３は、第２本体部３１の外周部の周方向に沿って等間隔に配置されているのが好ましい。また、第１指掛け部２３の形成数と、第２指掛け部３３の形成数とは、本実施形態では同じであるが、これに限定されず、異なっていてもよい。
【００４７】
図１に示すように、コネクタ１では、第２接続部３の中心軸Ｏ３方向に沿った長さＬ３が、第１接続部２の中心軸Ｏ２方向に沿った長さＬ２よりも長い。これにより、例えば、全長が長い方の接続部をシリンジ３０の口部９１に接続することとなっている場合、第２接続部３を誤って流体バッグ２０の口部８１に接続する誤接続を防止することができる。
【００４８】
第１接続部２と第２接続部３とは、軸方向の位置関係、すなわち、上下方向の位置関係を維持したまま、回転連結部４を介して、相対的に回転可能に連結されている。図２〜図４に示すように、回転連結部４は、第１接続部２から管状に突出形成された管状部４１と、第２接続部３の内周部に突出形成され、管状部４１の外周部に係合しつつ、相対回転時に管状部４１の周方向に沿って摺動可能な複数の係合部４５とを有している。
【００４９】
管状部４１は、第１接続部２の上端壁部２１１から第２接続部３側、すなわち、上方に向かって一体的に突出形成されている。図２に示すように、管状部４１は、第２接続部３とシリンジ３０の口部９１とが接続された状態で、口部９１の内側に嵌合することができる。これにより、管状部４１は、口部９１と連通する。
【００５０】
また、第１接続部２の上端壁部２１１には、管状部４１に連通し、管状部４１と反対方向、すなわち、下方に向かって管状に突出した管状部４４が形成されている。図２に示すように、管状部４４は、第１接続部２と流体バッグ２０の口部８１とが接続された状態で、口部８１の内側に嵌合することができる。これにより、管状部４４は、口部８１と連通する。
【００５１】
このような図２に示す状態により、流体バッグ組立体１０は、流体バッグ２０からシリンジ３０まで連通した状態となる。これにより、流体バッグ２０内の栄養剤Ｑをシリンジ３０に吸引することができる。
【００５２】
図３に示すように、管状部４１の外周部には、その外径が上方に向かって漸減したテーパ状をなすテーパ部４１１が形成されている。これにより、管状部４１がシリンジ３０の口部９１の内側に嵌合した際、管状部４４と口部９１との液密性が維持される。これにより、管状部４１と口部９１との間から栄養剤Ｑが漏れるのを防止することができる。
【００５３】
なお、管状部４４の外周部にも、その外径が下方に向かって漸減したテーパ状をなすテーパ部が形成されているのが好ましい。これにより、管状部４４が流体バッグ２０の口部８１の内側に嵌合した際、管状部４４と口部８１との液密性が維持される。これにより、管状部４４と口部８１との間から栄養剤Ｑが漏れるのを防止することができる。
【００５４】
図３に示すように、管状部４１は、その外周部の下部に周方向に沿って間隔４３を置いて形成された複数の突出部４２を有する。図７〜図１１に示すように、本実施形態では、突出部４２は、４つ形成されており、突出部４２１、突出部４２２、突出部４２３および突出部４２４がある。また、各突出部４２は、管状部４１の周方向に沿った長さが互いに異なる。そして、各突出部４２には、前記複数の係合部４５のうちのいずれかの係合部４５が係合することができる。なお、突出部４２の形成数は、本実施形態では４つであるが、これに限定されず、１つ、２つ、３つまたは５つ以上であってもよい。
【００５５】
また、図６に示すように、第２接続部３の内周部には、複数の係合部４５が内側に向かって突出形成されている。係合部４５は、間隔４３の形成数と同数分だけ、すなわち、本実施形態では、４つ形成されており、係合部４５１、係合部４５２、係合部４５３および係合部４５４がある。これにより、第１接続部２と第２接続部３とを連結して組み立てる際、係合部４５を１つずつ間隔４３を通過させることにより、各係合部４５が突出部４２を越えることができ、第１接続部２と第２接続部３との組立状態が得られる。なお、係合部４５の形成数は、本実施形態では４つであるが、これに限定されず、１つ、２つ、３つまたは５つ以上であってもよい。
【００５６】
図５に示すように、間隔４３は、第１接続部２側、すなわち、下側に向かって漸減しているのが好ましい。これにより、上から下に向かって間隔４３を通過した係合部４５は、下から上に戻るのが防止され、よって、第１接続部２と第２接続部３との組立状態が維持される。
【００５７】
図７に示す状態は、係合部４５が間隔４３を通過した直後の状態である。
そして、図８に示すように、図７に示す状態から第２接続部３を時計回りに例えば７５°回転させた場合、係合部４５１は、突出部４２１と突出部４２２との間の間隔４３と一致しているが、係合部４５２は、突出部４２２と係合し、係合部４５３は、突出部４２３と係合し、係合部４５４は、突出部４２４と係合した状態となっている。これにより、組立状態にある第１接続部２と第２接続部３とが不本意に分解するのを防止することができる。
【００５８】
また、図９に示すように、図８に示す状態から第２接続部３を時計回りに例えば１０°回転させた場合、係合部４５２は、突出部４２２と突出部４２３との間の間隔４３と一致しているが、係合部４５１は、突出部４２２と係合し、係合部４５３は、依然として突出部４２３と係合し、係合部４５４は、依然として突出部４２４と係合した状態となっている。この場合も、前記と同様に、組立状態にある第１接続部２と第２接続部３とが不本意に分解するのを防止することができる。
【００５９】
また、図１０に示すように、図９に示す状態から第２接続部３を時計回りに例えば１０°回転させた場合、係合部４５４は、突出部４２１と突出部４２４との間の間隔４３と一致しているが、係合部４５１は、依然として突出部４２２と係合し、係合部４５２は、突出部４２３と係合し、係合部４５３は、依然として突出部４２３と係合した状態となっている。この場合も、前記と同様に、組立状態にある第１接続部２と第２接続部３とが不本意に分解するのを防止することができる。
【００６０】
また、図１１に示すように、図１０に示す状態から第２接続部３を時計回りに例えば１０°回転させた場合、係合部４５３は、突出部４２３と突出部４２４との間の間隔４３と一致しているが、係合部４５１は、依然として突出部４２２と係合し、係合部４５２も、依然として突出部４２３と係合し、係合部４５４は、突出部４２１と係合した状態となっている。この場合も、前記と同様に、組立状態にある第１接続部２と第２接続部３とが不本意に分解するのを防止することができる。
【００６１】
以上のように、コネクタ１では、第２接続部３の回転角度の大小によらず、複数の係合部４５のうちの少なくとも１つの係合部４５が、いずれかの突出部４２に係合することができる。これにより、組立状態にある第１接続部２と第２接続部３とが不本意に分解するのを防止することができ、よって、流体バッグ２０からシリンジ３０への栄養剤Ｑの吸引を安定して行うことができる。
【００６２】
図１に示すように、コネクタ１は、第１接続部２の第１螺合部２２と流体バッグ２０の口部８１との螺合完了を認識させる螺合完了認識部５を備えている。
【００６３】
図１３に示すように、螺合完了認識部５は、第１ねじ山２２１が第２接続部３側に向かって形成が開始される開始点２２２で構成されている。これにより、開始点２２２は、第１螺合部２２と口部８１との螺合に伴って、口部８１にある２つの突出部８４に徐々に接近することができる。そして、第１螺合部２２と口部８１との螺合完了時に、開始点２２２は、２つの突出部８４のうちの一方の突出部８４の端部８４１に当接して、図１３に示す状態となる。これにより、コネクタ１の接続を行う操作者は、この当接を例えば指先から感じることができ、よって、第１接続部２と流体バッグ２０との螺合が完了したことを認識することができる。また、このとき、第１接続部２と流体バッグ２０との気密的な接続が保証される。
【００６４】
このような螺合完了認識部５を備えることにより、コネクタ１の第１接続部２を流体バッグ２０に螺合接続する際、コネクタ１を締め付け過ぎたり、または、その反対にコネクタ１の締め付けが緩すぎたりする等の操作上の不具合を防止することができ、よって、流体バッグ２０に対する接続操作を過不足なく行うことができる。
【００６５】
なお、螺合完了認識部５では、開始点２２２が、第１螺合部２２と口部８１との螺合完了時に、前記一方の突出部８４に当接する当接部として機能しているが、これに限定されず、開始点２２２とは別に当接部を設けてもよい。
【００６６】
また、本実施形態では、コネクタ１は、第１接続部２の第１螺合部２２と流体バッグ２０の口部８１との螺合完了を認識させるよう構成されているが、さらに、第２接続部３の第２螺合部３２とシリンジ３０の口部９１との螺合完了を認識させるよう構成されていてもよい。
【００６７】
次に、流体バッグ組立体１０の使用方法の一例について、図１４〜図１７を参照しつつ説明する。
【００６８】
［１］  図１４に示すように、シリンジ３０の口部９１と、コネクタ１の第２接続部３とを接続する。この接続操作は、例えば、一方の手でシリンジ３０を把持し、他方の手で第２接続部３を把持して、そのまま第２接続部３を矢印α３方向に回転させることにより行うことができる。
【００６９】
［２］  次いで、図１５に示すように、流体バッグ２０の口部８１と、コネクタ１の第１接続部２と接続する。この接続操作は、例えば、一方の手で流体バッグ２０を把持し、他方の手で第１接続部２を把持して、そのまま第１接続部２を矢印α２方向に回転させることにより行うことができる。
【００７０】
また、前述したように、第１接続部２は、回転連結部４を介して第２接続部３と連結されている。これにより、第２接続部３や、この第２接続部３に接続されているシリンジ３０を回転させずに、第１接続部２だけを回転操作することができ、よって、流体バッグ２０と第１接続部２との接続操作を正確に行うことができる。
【００７１】
また、流体バッグ２０と第１接続部２との接続完了は、螺合完了認識部５により知ることができる。これにより、流体バッグ２０と第１接続部２とが気密的に接続された状態となり、よって、次に行なわれる栄養剤Ｑの吸引操作を安定して行うことができる。
【００７２】
［３］  次いで、図１６に示すように、シリンジ３０を操作して、流体バッグ２０からシリンジ３０に栄養剤Ｑを吸引する。
【００７３】
［４］  次いで、図１７に示すように、シリンジ３０と第２接続部３との接続を解除する。この接続解除操作は、例えば、一方の手でシリンジ３０を把持し、他方の手で第２接続部３を把持して、そのまま第２接続部３を、矢印α３とは反対方向である矢印α３’方向に回転させることにより行うことができる。
【００７４】
また、回転連結部４を介して第２接続部３が第１接続部２に連結されていることにより、第１接続部２や、この第１接続部２に接続されている流体バッグ２０を回転させずに、第２接続部３だけを回転操作することができる。これにより、シリンジ３０と第２接続部３との接続解除操作を正確に行うことができる。
そして、シリンジ３０から栄養剤Ｑを患者に投与することができる。
【００７５】
以上のように、流体バッグ２０とシリンジ３０との接続にコネクタ１を用いることにより、第１接続部２および第２接続部３の２つの接続部のうち、接続操作または解除操作をしたい方だけの接続部を回転させることができる。
【００７６】
換言すれば、流体バッグ２０とコネクタ１とを接続したいときには、第１接続部２だけを回転させることができる。
【００７７】
また、シリンジ３０とコネクタ１とを接続したいときには、第２接続部３だけを回転させることができる。これと反対に、シリンジ３０とコネクタ１との接続を解除したいときにも、第２接続部３だけを回転させることができる。
【００７８】
従って、コネクタ１は、流体バッグ２０やシリンジ３０に対する接続操作および接続解除操作を正確に行うことができる構成となっている。
【００７９】
また、コネクタ１の第１接続部２を流体バッグ２０に螺合により接続する際には、螺合完了認識部５により、締め付け過ぎたり、または、その反対に締め付けが緩すぎたりするのが防止される。これにより、流体バッグ２０に対するコネクタ１の接続操作を過不足なく行うことができる。
【００８０】
なお、流体バッグ２０およびシリンジ３０をコネクタ１に接続する順番は、本実施形態では、まず、コネクタ１の第２接続部３にシリンジ３０を接続し、次いで、コネクタ１の第１接続部２に流体バッグ２０を接続しているが、これに限定されず、接続順番を逆転させてもよい。この場合、まず、コネクタ１の第１接続部２に流体バッグ２０を接続し、次いで、コネクタ１の第２接続部３にシリンジ３０を接続してもよい。
【００８１】
＜第２実施形態＞
図１８は、本発明の流体バッグ組立体の第２実施形態を示す斜視図である。
【００８２】
以下、この図を参照して本発明のコネクタおよび流体バッグ組立体の第２実施形態について説明するが、前述した実施形態との相違点を中心に説明し、同様の事項はその説明を省略する。
【００８３】
本実施形態は、第１接続部の全長と第２接続部の全長との大小関係が異なること以外は前記第１実施形態と同様である。
【００８４】
図１８に示すように、本実施形態では、第１接続部２の中心軸Ｏ２方向に沿った長さＬ２は、第２接続部３の中心軸Ｏ３方向に沿った長さＬ３よりも長い。これにより、例えば、全長が長い方の接続部を流体バッグ２０の口部８１に接続することとなっている場合、第２接続部３を誤ってシリンジ３０の口部９１に接続する誤接続を防止することができる。
【００８５】
以上、本発明のコネクタおよび流体バッグ組立体を図示の実施形態について説明したが、本発明は、これに限定されるものではなく、コネクタおよび流体バッグ組立体を構成する各部は、同様の機能を発揮し得る任意の構成のものと置換することができる。また、任意の構成物が付加されていてもよい。
【００８６】
また、本発明のコネクタおよび流体バッグ組立体は、前記各実施形態のうちの、任意の２以上の構成（特徴）を組み合わせたものであってもよい。
また、コネクタは、螺合完了認識部が省略されていてもよい。
【符号の説明】
【００８７】
１            コネクタ
２            第１接続部
２１          第１本体部
２１１        上端壁部
２１２        下端開放部
２２          第１螺合部
２２１        第１ねじ山
２２２        開始点
２３          第１指掛け部
３            第２接続部
３１          第２本体部
３１１        上端開放部
３１２        下端開放部
３２          第２螺合部
３２１        第２ねじ山
３３          第２指掛け部
４            回転連結部
４１          管状部
４１１        テーパ部
４２          突出部
４２１        突出部
４２２        突出部
４２３        突出部
４２４        突出部
４３          間隔
４４          管状部
４５          係合部
４５１        係合部
４５２        係合部
４５３        係合部
４５４        係合部
５            螺合完了認識部
８            口部形成部材
８１          口部（第１口部）
８２          固定部
８２１        天板
８２２        側板
８２３        中空部
８３          ねじ山
８４          突出部
８４１        端部
９            シリンジ外筒
９１          口部（第２口部）
９２          ねじ山
１０          流体バッグ組立体
２０          流体バッグ
２０１        バッグ本体
３０          シリンジ
Ｌ２          長さ
Ｌ３          長さ
Ｏ２          中心軸
Ｏ３          中心軸
Ｑ            栄養剤
α２          矢印
α３          矢印
α３’        矢印
【図１】
2020039801.tif 000003
【図２】
2020039801.tif 000004
【図３】
2020039801.tif 000005
【図４】
2020039801.tif 000006
【図５】
2020039801.tif 000007
【図６】
2020039801.tif 000008
【図７】
2020039801.tif 000009
【図８】
2020039801.tif 000010
【図９】
2020039801.tif 000011
【図１０】
2020039801.tif 000012
【図１１】
2020039801.tif 000013
【図１２】
2020039801.tif 000014
【図１３】
2020039801.tif 000015
【図１４】
2020039801.tif 000016
【図１５】
2020039801.tif 000017
【図１６】
2020039801.tif 000018
【図１７】
2020039801.tif 000019
【図１８】
2020039801.tif 000020